(57)【要約】【課題】連結部の内部に給電線を配置せずに、広帯域で高利得なアンテナ特性を得ることができる通信機器を提供すること。【解決手段】携帯電話機１は、操作部側筐体２に配置された回路基板７０と、表示部側筐体３に配置された回路基板８０と、回路基板７０に形成され、グランドパターンと接点１０４とを有する回路部と、操作部側筐体２に配置され、グランドパターンに電気的に接続された基準電位パターン層７５と、表示部側筐体３に配置された基準電位パターン層８６と、回路基板７０と回路基板８０とを電気的に接続するＦＰＣ部１０１と、を備え、ＦＰＣ部１０１は、所定の信号を伝送する信号配線２１０と、信号配線２１０を電気的にシールドするシールド層２４０と、を有し、シールド層２４０は、操作部側筐体２において接点１０４に電気的に接続され、表示部側筐体３において基準電位パターン層８６に電気的に接続される、ことを特徴とする。【選択図】図５
2010154492.tif 000002
【特許請求の範囲】
【請求項１】
第１の筐体と、
第２の筐体と、
前記第１の筐体に配置された第１の回路基板と、
前記第２の筐体に配置された第２の回路基板と、
前記第１の回路基板に形成され、グランド部ならびに給電部および前記給電部に電気的に接続された信号処理部を有する回路部と、
前記第１の筐体に配置され、前記グランド部に電気的に接続された第１の導電部と、
前記第２の筐体に配置された第２の導電部と、
前記第１の回路基板と前記第２の回路基板とを電気的に接続する信号線と、を備え、
前記信号線は、所定の信号を伝送する信号伝送部と、前記信号伝送部を電気的にシールドするシールド部と、を有し、
前記シールド部は、前記第１の筐体において前記給電部に電気的に接続され、前記第２の筐体において前記第２の導電部に電気的に接続される、ことを特徴とする通信機器。
【請求項２】
前記シールド部は、複数の接点を有し、
前記給電部と前記複数の接点のうちの一の接点と電気的に接続する接続状態を選択可能に構成される第１の選択部と、
前記第１の選択部による前記接続状態の選択を制御する第１の制御部と、を有することを特徴とする請求項１に記載の通信機器。
【請求項３】
前記第１の筐体と前記第２の筐体とを相対移動可能に連結する連結部と、
前記連結部を介した前記第１の筐体と前記第２の筐体との相対移動状態を検出する検出部と、を有し、
前記第１の制御部は、前記検出部により検出された前記第１の筐体と前記第２の筐体との相対移動状態に応じて前記第１の選択部により前記接続状態の選択を制御する、ことを特徴とする請求項２に記載の通信機器。
【請求項４】
前記第２の導電部により共振される信号に基づいて機能を動作する機能動作部を有し、
前記第１の制御部は、前記第２の導電部により共振される信号であって前記機能動作により動作される機能の基礎となる信号の周波数に応じて前記第１の選択部により前記接続状態の選択を制御する、ことを特徴とする請求項２に記載の通信機器。
【請求項５】
前記第１の導電部の前記第１の筐体の長さ方向における長さは、前記第２の導電部の前記第２の筐体の長さ方向における長さと前記第２の導電部により共振される信号の前記シールド部における伝送経路長との和により得られる長さと略同一である、ことを特徴とする請求項１乃至請求項４のいずれか一項に記載の通信機器。
【請求項６】
前記第１の導電部は、前記第１の回路基板に形成された第１の基準電位パターンである、ことを特徴とする請求項１乃至請求項５のいずれか一項に記載の通信機器。
【請求項７】
前記第２の導電部は、前記第２の回路基板に形成された第２の基準電位パターンである、ことを特徴とする請求項１乃至請求項６のいずれか一項に記載の通信機器。
【請求項８】
前記信号線は、前記信号伝送部を挟持する第１のシールド部と、第２のシールド部と、を有し、
前記第１のシールド部および前記第２のシールド部は、前記第１の筐体において前記給電部に電気的に接続され、前記第２の筐体において前記第２の導電部に電気的に接続される、ことを特徴とする請求項１に記載の通信機器。
【請求項９】
前記第１のシールド部は、第１の周波数帯に共振する第１の形状で構成され、
前記第２のシールド部は、第２の周波数帯に共振する第２の形状で構成される、ことを特徴とする請求項８に記載の通信機器。
【請求項１０】
前記第１のシールド部が前記第１の筐体において前記給電部に電気的に接続され、前記第２の筐体において前記第２の導電部に電気的に接続される第１の状態と、前記第１のシールド部が前記第１の筐体において前記給電部に電気的に接続され、前記第２の筐体において前記第２の導電部に電気的に接続される第２の状態のいずれか一方を選択可能に構成される第２の選択部を有する、ことを特徴とする請求項８または請求項９に記載の通信機器。
【請求項１１】
前記信号伝送部は、信号を伝送する信号伝送線と、基準電位に電気的に接続されるグランド線とを有し、
前記シールド部は、前記第１の筺体において前記グランド線の近傍で前記給電部に電気的に接続される、ことを特徴とする請求項１に記載の通信機器。
【請求項１２】
前記シールド部には、前記信号伝送線と前記グランド線との間の部位に対応して所定深さの溝が形成される、ことを特徴とする請求項１１に記載の通信機器。
【請求項１３】
前記信号伝送部は、第１の伝送速度で信号を伝送する第１の信号伝送線と、前記第１の伝送速度よりも速い伝送速度である第２の伝送速度で信号を伝送する第２の信号伝送線と、を有し、
前記シールド部は、前記第１の筺体において前記第２の信号伝送線よりも前記第１の信号伝送線の近傍で前記給電部に電気的に接続される、ことを特徴とする請求項１に記載の通信機器。
【請求項１４】
前記シールド部には、前記第１の信号伝送線と前記第２の信号伝送線との間の部位に対応して所定深さの溝が形成される、ことを特徴とする請求項１３に記載の通信機器。
【発明の詳細な説明】
【技術分野】
【０００１】
本発明は、複数の筐体が連結されて構成される通信機器に関する。
【背景技術】
【０００２】
従来、携帯電話機等の通信機器の小型化、薄型化の要請に伴い、無線信号を受信するアンテナを小型化、薄型化するための技術が提案されている。
【０００３】
例えば、表示部側筐体と操作部側筐体とを連結部を介して相対移動可能な通信機器において、表示部側筐体及び操作部側筐体のそれぞれに配置された回路基板をアンテナ及びグランドとして機能させ、ダイポールアンテナとして動作する通信機器が提案されている。
【０００４】
また、このような通信機器において、高利得なアンテナ特性を得るための技術も提案されている（例えば、特許文献１参照）。
【０００５】
特許文献１には、表示部側筐体（第２の筐体）のシールドボックスにフレキシブルプリント基板（Ｆｌｅｘｉｂｌｅ  Ｐｒｉｎｔｅｄ  Ｃｉｒｃｕｉｔｓ：以下ＦＰＣと称す）を接続し、表示部側筐体のシールドボックスに給電させる。そして、表示部側筐体のシールドボックスと、操作部側筐体（第１の筐体）の接地電位を有する回路基板上のグランドパターンとがダイポールアンテナとして動作する通信機器が開示されている。
【先行技術文献】
【特許文献】
【０００６】
【特許文献１】特開２００２−３３５１８０号公報
【発明の概要】
【発明が解決しようとする課題】
【０００７】
ここで、特許文献１に記載の通信機器では、給電部を第２の筐体まで引き延ばすために別途の構成が必要となる。しかし、通信機器の小型化の要請に鑑みれば、このような給電部の引き延ばし構成は好ましくない。
【０００８】
そこで、本発明は、別途の構成を要することなく給電部を第２の筐体まで引き延ばすことのできる通信機器を提供することを目的とする。
【課題を解決するための手段】
【０００９】
本発明に係る通信機器は、上記課題を解決するために、第１の筐体と、第２の筐体と、前記第１の筐体に配置された第１の回路基板と、前記第２の筐体に配置された第２の回路基板と、前記第１の回路基板に形成され、グランド部ならびに給電部および前記給電部に電気的に接続された信号処理部を有する回路部と、前記第１の筐体に配置され、前記グランド部に電気的に接続された第１の導電部と、前記第２の筐体に配置された第２の導電部と、前記第１の回路基板と前記第２の回路基板とを電気的に接続する信号線と、を備え、前記信号線は、所定の信号を伝送する信号伝送部と、前記信号伝送部を電気的にシールドするシールド部と、を有し、前記シールド部は、前記第１の筐体において前記給電部に電気的に接続され、前記第２の筐体において前記第２の導電部に電気的に接続される、ことを特徴とする。
【００１０】
また、前記通信機器において、前記シールド部は、複数の接点を有し、前記給電部と前記複数の接点のうちの一の接点と電気的に接続する接続状態を選択可能に構成される第１の選択部と、前記第１の選択部による前記接続状態の選択を制御する第１の制御部と、を有することが好ましい。
【００１１】
また、前記通信機器は、前記第１の筐体と前記第２の筐体とを相対移動可能に連結する連結部と、前記連結部を介した前記第１の筐体と前記第２の筐体との相対移動状態を検出する検出部と、を有し、前記第１の制御部は、前記検出部により検出された前記第１の筐体と前記第２の筐体との相対移動状態に応じて前記第１の選択部により前記接続状態の選択を制御する、ことが好ましい。
【００１２】
前記第２の導電部により共振される信号に基づいて機能を動作する機能動作部を有し、前記第１の制御部は、前記第２の導電部により共振される信号であって前記機能動作により動作される機能の基礎となる信号の周波数に応じて前記第１の選択部により前記接続状態の選択を制御する、ことが好ましい。
【００１３】
また、前記通信機器において、前記第１の導電部の前記第１の筐体の長さ方向における長さは、前記第２の導電部の前記第２の筐体の長さ方向における長さと前記第２の導電部により共振される信号の前記シールド部における伝送経路長との和により得られる長さと略同一である、ことが好ましい。
【００１４】
また、前記通信機器において、前記第１の導電部は、前記第１の回路基板に形成された第１の基準電位パターンである、ことが好ましい。
【００１５】
また、前記通信機器において、前記第２の導電部は、前記第２の回路基板に形成された第２の基準電位パターンである、ことが好ましい。
【００１６】
また、前記通信機器において、前記信号線は、前記信号伝送部を挟持する第１のシールド部と、第２のシールド部と、を有し、前記第１のシールド部および前記第２のシールド部は、前記第１の筐体において前記給電部に電気的に接続され、前記第２の筐体において前記第２の導電部に電気的に接続される、ことが好ましい。
【００１７】
また、前記通信機器において、前記第１のシールド部は、第１の周波数帯に共振する第１の形状で構成され、前記第２のシールド部は、第２の周波数帯に共振する第２の形状で構成される、ことが好ましい。
【００１８】
また、前記通信機器において、前記第１のシールド部が前記第１の筐体において前記給電部に電気的に接続され、前記第２の筐体において前記第２の導電部に電気的に接続される第１の状態と、前記第１のシールド部が前記第１の筐体において前記給電部に電気的に接続され、前記第２の筐体において前記第２の導電部に電気的に接続される第２の状態のいずれか一方を選択可能に構成される第２の選択部を有する、ことが好ましい。
【００１９】
また、前記通信機器において、前記信号伝送部は、信号を伝送する信号伝送線と、基準電位に電気的に接続されるグランド線とを有し、前記シールド部は、前記第１の筺体において前記グランド線の近傍で前記給電部に電気的に接続される、ことが好ましい。
【００２０】
また、前記通信機器において、前記シールド部には、前記信号伝送線と前記グランド線との間の部位に対応して所定深さの溝が形成される、ことが好ましい。
【００２１】
また、前記通信機器において、前記信号伝送部は、第１の伝送速度で信号を伝送する第１の信号伝送線と、前記第１の伝送速度よりも速い伝送速度である第２の伝送速度で信号を伝送する第２の信号伝送線と、を有し、前記シールド部は、前記第１の筺体において前記第２の信号伝送線よりも前記第１の信号伝送線の近傍で前記給電部に電気的に接続される、ことが好ましい。
【００２２】
また、前記通信機器において、前記シールド部には、前記第１の信号伝送線と前記第２の信号伝送線との間の部位に対応して所定深さの溝が形成される、ことが好ましい。
【発明の効果】
【００２３】
本発明によれば、別途の構成を要することなく給電部を第２の筐体まで引き延ばすことのできる通信機器を提供することができる。
【図面の簡単な説明】
【００２４】
【図１】携帯電話機を開いた状態における外観斜視図である。
【図２】携帯電話機を折畳んだ状態の斜視図である。
【図３】操作部側筐体に内蔵される部材の分解斜視図である。
【図４】表示部側筐体に内蔵される部材の分解斜視図である。
【図５】第１実施形態の携帯電話機の開状態における内部構造を示す模式図である。
【図６】第１実施形態の携帯電話機の閉状態におけるとＦＰＣ部と給電点の導通構造を説明する図である。
【図７】ＦＰＣ部の内部構造を示す模式図である。
【図８】ＦＰＣ部の内部構造を示す模式図である。
【図９】第２実施形態の携帯電話機の開状態における内部構造を示す模式図である。
【図１０】ＦＰＣ部の拡大図である。
【図１１】第２実施形態の携帯電話機１の開状態における接点及び給電部の導通構造を説明する図である。
【図１２】第２実施形態の携帯電話機１の閉状態における接点及び給電部の導通構造を説明する図である。
【図１３】第３実施形態の携帯電話機の開状態における内部構造を示す模式図である。
【図１４】第４実施形態の携帯電話機の開状態における内部構造を示す模式図である。
【図１５】第５実施形態の携帯電話機１の開状態における内部構造を示す模式図である。
【図１６】第６実施形態に係るＦＰＣ１０１部の構成例を示す模式図である。
【図１７】第６実施形態に係るＦＰＣ１０１部の他の構成例を示す模式図である。
【図１８】第６実施形態に係るＦＰＣ１０１部の他の構成例を示す模式図である。
【図１９】第７実施形態に係るＦＰＣ１０１の内部構造を示す断面図である。
【図２０】第８実施形態の携帯電話機１に係るＦＰＣ１０１の内部構造を示す断面図である。
【発明を実施するための形態】
【００２５】
以下、図面を参照して本発明を実施するための最良の形態を説明する。
図１により、電子機器としての携帯電話機１における基本構造を説明する。図１は、携帯電話機１を開いた状態における外観斜視図を示す。
【００２６】
図１に示すように、携帯電話機１は、筐体としての操作部側筐体２と、表示部側筐体３と、を備える。操作部側筐体２（第１の筐体）と表示部側筐体３（第２の筐体）とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００２７】
操作部側筐体２は、外面がフロントケース２ａとリアケース２ｂとにより構成される。操作部側筐体２は、フロントケース２ａ側に、操作キー群１１と、携帯電話機１の使用者が通話時に発した音声が入力されるマイクとしての音声入力部１２とがそれぞれ露出するように構成される。
【００２８】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００２９】
音声入力部１２は、操作部側筐体２の長手方向における連結部４側と反対の外端部側に配置される。つまり、音声入力部１２は、携帯電話機１が開状態において一方の外端部側に配置される。
【００３０】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００３１】
表示部側筐体３は、外面がフロントパネル３ａと、フロントケース３ｂと、リアケース３ｃと、リアパネル３ｄとにより構成される。表示部側筐体３には、各種情報を表示するためのディスプレイ２１と、通話の相手側の音声を出力するレシーバとしての音声出力部２２と、が外部に露出するように配置される。
ディスプレイ２１は、液晶パネルと、この液晶パネルを駆動する駆動回路と、この液晶パネルの背面側から光を照射するバックライト等の光源部とから構成される。
【００３２】
また、図２は、携帯電話機１を折畳んだ状態の斜視図を示す図である。操作部側筐体２は、一方の側面に、所定の機能が割り当てられているサイドキー３０と、外部メモリの挿入及び取り出しが行われるインターフェース用のキャップ３１と、を備えている。また、表示部側筐体３は、また、表示部側筐体３のリアパネル３ｄ表面には、被写体を撮像するカメラ３３と、被写体に光を照射するライト３４と、が露出して形成されている。
【００３３】
図３は、操作部側筐体２に内蔵される部材の分解斜視図である。図３に示すように、操作部側筐体２は、フロントケース２ａと、キー構造部４０と、キー基板５０と、ケース体６０と、後述のＲＦ（Ｒａｄｉｏ  Ｆｒｅｑｕｅｎｃｙ）回路部１０６におけるグランド部と電気的に接続する基準電位パターン層７５（第１の導電部）及び携帯電話機用のＲＦモジュール等の各種電子部品を備える回路基板７０（第１の回路基板）と、バッテリリッド２ｃを備えたリアケース２ｂと、バッテリ８１とを備える。キー基板５０と回路基板７０とは、キー基板５０から延出する基板としてのＦＰＣ部９０により電気的に接続される。また、回路基板７０には高周波信号に給電する、又は給電される給電部と基準電位に電気的に接続されたグランド部を有し、高周波信号の処理を行うＲＦ回路部１０６（回路部）が実装されている。
【００３４】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、ＦＰＣ部９０を有するキー基板５０と、ケース体６０と、回路基板７０とが挟まれるようにして内蔵される。
【００３５】
フロントケース２ａには、携帯電話機１を折り畳んだ状態で表示部側筐体３のディスプレイ２１と対向する内側面に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００３６】
キー構造部４０は、操作部材４０Ａと、補強部材としてのキーフレーム４０Ｂと、シート部材としてのキーシート４０Ｃと、により構成される。
【００３７】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００３８】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００３９】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００４０】
キー基板５０は、キーシート４０Ｃ側の面である第１面５０ａに配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。また、キー基板５０における第２面５０ｂ側には、複数の電極配線が形成される。
【００４１】
図４は、表示部側筐体３に内蔵される部材の分解斜視図である。図４に示すように、表示部側筐体３は、フロントパネル３ａと、フロントケース３ｂと、連結部４と、ディスプレイ２１と、ディスプレイ２１が接続された回路基板８０（第２の回路基板）と、リアケース３ｃと、リアパネル３ｄとを備える。また、表示部側筐体３において、フロントパネル３ａと、フロントケース３ｂと、ディスプレイ２１と、回路基板８０と、リアケース３ｃと、リアパネル３ｄとが積層的に配置される。
【００４２】
図４に示すように、フロントケース３ｂとリアケース３ｃとは、互いの凹状の内側面が向き合うように配置され、互いの外周縁が重なり合うようにして結合される。また、フロントケース３ｂとリアケース３ｃとの間には、ディスプレイ２１と、回路基板８０とが挟まれるようにして内蔵される。また、回路基板８０には、基準電位パターン層８６（第２の導電部）が形成されている。
【００４３】
また、携帯電話機１では、操作部側筐体２と表示部側筐体３との間において、フレキシブルプリント基板（Ｆｌｅｘｉｂｌｅ  Ｐｒｉｎｔｅｄ  Ｃｉｒｃｕｉｔｓ：以下ＦＰＣと称す）１０１により、表示部側筐体３の内部に配設されている回路基板８０と、操作部側筐体２の内部に配設されている回路基板７０とが電気的に接続されている。
【００４４】
＜第１実施形態＞
図５は、第１実施形態の携帯電話機１の開状態における内部構造を示す模式図である。図５に示すように、回路基板７０と、回路基板８０とは、ＦＰＣ部１０１により電気的に接続されている。詳細には、回路基板７０の操作部側筐体２側の端部には、ＦＰＣコネクタ１０２が配置され、回路基板８０の表示部側筐体３側の端部には、ＦＰＣコネクタ１０３が配置される。そして、ＦＰＣコネクタ１０２及び１０３には、ＦＰＣ部１０１が挿入され、回路基板７０及び回路基板８０とを電気的に接続している。
【００４５】
また、回路基板７０側に位置するＦＰＣ部１０１には、接点１０４が設けられており、信号線１０５を介してＲＦ回路部１０６と電気的に接続している。
【００４６】
図６は、第１実施形態の携帯電話機１の閉状態におけるとＦＰＣ部１０１と接点１０４の導通構造を説明する図である。図６に示すように、ＲＦ回路部１０６は、ＦＰＣコネクタ１０２の配置される面とは反対面に実装される。また、回路基板７０には、開口部１０７が形成されている。そして、接点１０４は、ＦＰＣ部１０１（後述のシールド層２４０又はシールド層２６０）に設けられ、開口部１０７を通じて信号線１０５によりＲＦ回路部１０６の給電部と接続している。これにより、接点１０４は、給電部から給電される又は給電する給電点としての機能を有することとなる。
【００４７】
図７及び図８は、図５におけるＦＰＣ部１０１のＡ−Ａ線断面を模式的に示した図であり、ＦＰＣ部１０１の内部構造の構成例である。なお、図７及び図８において、ＦＰＣ部１０１の構造は、ＦＰＣ部１０１の厚み方向の中心線に対して線対称であるため、主として上面側について説明し、下面側については説明を省略する。
【００４８】
図７は、ＦＰＣ部１０１の内部構造を示す模式図である。図７に示すように、ＦＰＣ部１０１は、基材２００と、基材２００上に形成される複数の信号配線２１０（信号伝送部）と、絶縁層２２０と、導電性接着剤層２３０と、シールド層２４０（シールド部）とを備える。
【００４９】
信号配線２１０は、所定の信号として、ディスプレイ２１の表示信号やレシーバ信号を伝送する。絶縁層２２０は、信号配線２１０上に形成される。導電性接着剤層２３０は、絶縁層２２０とシールド層２４０とを接着する。
【００５０】
シールド層２４０は、信号配線２１０を電気的にシールド（遮蔽）する。また、シールド層２４０は、操作部側筐体２において、接点１０４に電気的に接続される。更に、シールド層２４０は、表示部側筐体３において、第２の導電部である基準電位パターン層８６に電気的に接続される。結果として基準電位パターン層８６は、接点１０４を介してＲＦ回路部１０６の給電部から給電される又は給電部に給電する。
【００５１】
ここで、図７に示すＦＰＣ部１０１におけるノイズ信号の伝播、及び外部からの電波信号の伝播について説明する。先ず、ディスプレイ２１の表示信号やレシーバ信号等は、信号配線２１０を伝播する。また、信号配線２１０からのノイズの電界は、信号配線２１０に近接した導電性接着剤層２３０の基材２００側の面に向かい、表皮効果により導電性接着剤層２３０の基材２００側の面に電流が流れる。
【００５２】
一方、外部からの電波信号は、シールド層２４０の表面に向かい、表皮効果によりシールド層２４０の外面（基材２００とは反対側の面）に電流が流れる。このようにして、ＦＰＣ部１０１は、信号配線２１０からのノイズと、外部からの電波信号とを好適に隔離することができる。
【００５３】
また、図８は、ＦＰＣ部１０１の内部構造の他の構成例を示す模式図である。図８に示すように、ＦＰＣ部１０１は、基材２００と、基材２００上に形成される複数の信号配線２１０（信号伝送部）と、絶縁層２２０と、導電性接着剤層２３０と、シールド層２４０と、絶縁層２５０と、シールド層２６０（シールド部）とを備える。図８に示すＦＰＣ部１０１は、絶縁層２５０と、シールド層２６０とを備える点が図７に示したＦＰＣ部１０１と異なる。
【００５４】
絶縁層２５０は、シールド層２４０上に形成され、シールド層２４０とシールド層２６０とを電気的に隔離する。
【００５５】
導電性接着剤層２３０及びシールド層２６０は、信号配線２１０を電気的にシールドする。また、シールド層２６０は、操作部側筐体２において、接点１０４に電気的に接続される。更に、シールド層２６０は、表示部側筐体３において、第２の導電部である基準電位パターン層８６に電気的に接続される。結果として、基準電位パターン層８６は、接点１０４を介してＲＦ回路部１０６の給電部から給電される又は給電部に給電する。
【００５６】
ここで、図８に示すＦＰＣ部１０１における外部からの電波信号の伝播について説明する。外部からの電波信号は、シールド層２６０の表面に向かい、表皮効果によりシールド層２６０の外面（基材２００とは反対側の面）に電流が流れる。このように、図８に示すＦＰＣ部１０１は、シールド層２４０上に絶縁層２５０を設けたため、信号配線２１０からのノイズと、外部からの電波信号とをより好適に隔離することができる。なお、以下の説明では、図７に示すシールド層２４０をシールド部として用いた場合について説明するが、図８に示すシールド層２６０をシールド部として用いた場合でも同様の作用、効果を奏することができる。
【００５７】
また、上述したように、回路基板７０には、第１の導電部としての基準電位パターン層７５が形成される。基準電位パターン層７５は、回路基板７０に実装されたＲＦ回路部１０６のグランド部に接続される。また、回路基板８０には、第２の導電部としての基準電位パターン層８６が形成されており、基準電位パターン層８６は、接点１０４を介してＲＦ回路部１０６の給電部から給電される又は給電部に給電する。
【００５８】
これにより、基準電位パターン層７５は、グランド部として機能し、シールド層２４０及び基準電位パターン層８６は、アンテナ素子として機能することとなり、結果として、基準電位パターン層７５及び基準電位パターン層８６は、ダイポールアンテナとして機能する。
【００５９】
また、この場合、図５に示すように、基準電位パターン層７５の長さＬ２と、アンテナ素子として動作する基準電位パターン層８６の長さＬ１及びＦＰＣ部１０１（シールド層２４０）の長さＬ３の合計長さである（Ｌ１＋Ｌ３）とが略同一となることが好ましい。
【００６０】
以上説明したように本実施形態の携帯電話機１によれば、シールド層２４０は、信号配線２１０を電気的にシールドする。また、シールド層２４０は、操作部側筐体２において、接点１０４に電気的に接続される。更に、シールド層２４０は、表示部側筐体３において、第２の導電部である基準電位パターン層８６に電気的に接続される。このため、ＦＰＣ部１０１のシールド層２４０を介して基準電位パターン層８６と接点１０４とが電気的に接続される。したがって、信号配線２１０以外に別途の給電線を設けて表示部側筐体３に引き延ばすことができ、ＦＰＣ部１０１の配線構造や、連結部４の簡素化を図ることができ、携帯電話機１全体としても構造の簡素化が図られることとなる。
【００６１】
また、本実施形態の携帯電話機１によれば、グランド部として動作する基準電位パターン層７５の長さＬ２と、アンテナ素子として動作する基準電位パターン層８６の長さＬ１およびＦＰＣ部１０１（シールド層２４０）の長さＬ３の合計長さである（Ｌ１＋Ｌ３）とが略同一となる。したがって、ダイポールアンテナとして動作する基準電位パターン層７５、基準電位パターン層８６、及びＦＰＣ部１０１のアンテナ特性の最適化を図ることができる。
【００６２】
また、本実施形態の携帯電話機１によれば、第１の導電部は、回路基板７０に形成された基準電位パターン層７５である。このため、回路基板７０の有効活用が図られ、操作部側筐体２の小型化を実現できる。
【００６３】
また、本実施形態の携帯電話機１によれば、第２の導電部は、回路基板８０に形成された基準電位パターン層８６である。このため、回路基板８０の有効活用が図られ、表示部側筐体３の小型化を実現できる。
【００６４】
＜第２実施形態＞
次に、本発明に係る第２実施形態について図９から図１２を参照しながら説明する。以下、第２実施形態における携帯電話機１について第１実施形態における携帯電話機１と異なる点を中心に説明し、第１実施形態と同様の構成及び動作については説明を簡略又は省略する。
【００６５】
図９は、第２実施形態の携帯電話機１の開状態における内部構造を示す模式図である。図９に示すように、携帯電話機１は、第１実施形態と同様に回路基板７０と、回路基板８０とは、ＦＰＣ部１０１により電気的に接続されている。
【００６６】
第２実施形態の携帯電話機１は、主として、接点１０４ａと、接点１０４ｂと、接点１０４ｃと、給電部１０９ａと、給電部１０９ｂと、給電部１０９ｃと、スイッチ部１１０と、放送波を受信するチューナ部１１２と、チューナ部１１２により受信された放送波をデコードするデコーダ部１１３と、角度検出部１１４と、携帯電話機１全体の制御を行う制御部１１５とを備える点が第１実施形態とは異なる。
【００６７】
図１０は、図９におけるＦＰＣ部１０１の拡大図である。図１０に示すように、接点１０４ａと接点１０４ｂとは、互いに間隔Ｌ１０で離間し、接点１０４ｂと接点１０４ｃとは互いに間隔Ｌ１１で離間している。
【００６８】
接点１０４ａは、ＦＰＣコネクタ１０２の端部から長さＬ１２であり、ＦＰＣコネクタ１０２の端部から長さＬ１５に配置されている。また、接点１０４ｂは、ＦＰＣコネクタ１０２の端部から長さＬ１３であり、ＦＰＣコネクタ１０２の端部から長さＬ１６に配置されている。また、接点１０４ｃは、ＦＰＣコネクタ１０２の端部から長さＬ１４であり、ＦＰＣコネクタ１０２の端部から長さＬ１７に配置されている。
【００６９】
図１１は、第２実施形態の携帯電話機１の開状態における接点１０４ａ、１０４ｂ、１０４ｃ及び給電部１０９ａ、１０９ｂ、１０９ｃの導通構造を説明する図であり、図１２は、第２実施形態の携帯電話機１の閉状態における接点１０４ａ、１０４ｂ、１０４ｃ及び給電部１０９ａ、１０９ｂ、１０９ｃの導通構造を説明する図である。
【００７０】
図１１及び図１２に示すように、ＲＦ回路部１０６は、ＦＰＣコネクタ１０２の配置される面とは反対面に実装される。また、回路基板７０には、開口部１０７ａ、１０７ｂ、１０７ｃが形成されている。そして、接点１０４ａ、１０４ｂ、１０４ｃは、ＦＰＣ部１０１（シールド層２４０）上に設けられる。給電部１０９ａ、１０９ｂ、１０９ｃは、バネ特性を有する部材により構成され、一端がスイッチ部１１０と電気的に接続される。また、給電部１０９ａ、１０９ｂ、１０９ｃは、他端がそれぞれ開口部１０７ａ、１０７ｂ、１０７ｃを通じて、接点１０４ａ、１０４ｂ、１０４ｃとそれぞれバネ特性により接触又は離間が可能に構成されている。
【００７１】
スイッチ部１１０は、給電部１０９ａと接点１０４ａとを電気的に接続する第１の状態と、給電部１０９ｂと接点１０４ｂとを電気的に接続する第２の状態と、給電部１０９ｃと接点１０４ｃとを電気的に接続する第３の状態とを選択可能に構成される。具体的には、スイッチ部１１０は、制御部１１５からの制御信号により第１の状態と、第２の状態と、第３の状態とのうち一の状態（接点）にスイッチを切り替えるように構成される。
【００７２】
チューナ部１１２は、基準電位パターン層８６により共振される信号として、例えば放送波を受信する。デコーダ部１１３は、チューナ部１１２により受信される放送波をデコードする。本実施形態においてチューナ部１１２及びデコーダ部１１３は、アンテナ素子として機能する基準電位パターン層８６により共振される信号に基づいて機能を動作する機能動作部として機能する。
【００７３】
角度検出部１１４は、操作部側筐体２の表示部側筐体３に対する開き角度、すなわち操作部側筐体２と表示部側筐体３との相対位置状態に応じた信号を検出し、検出した信号を制御部１１５に出力する。
【００７４】
制御部１１５は、スイッチ部１１０の切り替えを制御することにより、第１の状態と、第２の状態と、第３の状態との選択を制御する。
【００７５】
具体的には、制御部１１５は、角度検出部１１４により検出された操作部側筐体２と表示部側筐体３との相対移動状態に応じて、スイッチ部１１０を切り替えることにより第１の状態と第２の状態の選択を制御する。
【００７６】
このように本実施形態の携帯電話機１によれば、シールド層２４０に接点１０４ａと接点１０４ｂと接点１０４ｃとを設け、給電部１０９ａと接点１０４ａ、給電部１０９ｂと接点１０４ｂ、及び給電部１０９ｃと接点１０４ｃとの接続を選択可能なスイッチ部１１０を設けた。そして、制御部１１５は、角度検出部１１４により検出された操作部側筐体２と表示部側筐体３との相対移動状態に応じて、スイッチ部１１０を切り替えることにより第１の状態と第２の状態と第３の状態との選択を制御する。
【００７７】
このため、制御部１１５の制御に基づいて行われるスイッチ部１１０部の選択に応じて、シールド層２４０におけるアンテナ素子として機能する範囲を調整することができるため、シールド層２４０（シールド層２６０）におけるアンテナ特性の調整、維持を図ることができる。
【００７８】
ここで、携帯電話機１の開状態と閉状態とでは、アンテナ素子として機能する基準電位パターン層８６及びシールド層２４０と、グランド部として機能する基準電位パターン層７５との相対位置が異なるため、基準電位パターン層８６及びシールド層２４０のアンテナ特性が低下する可能性がある。また、接点１０４ａと、接点１０４ｂと、接点１０４ｃとでは、シールド層２４０のインピーダンスが異なる。本実施形態の携帯電話機１によれば、角度検出部１１４により検出される携帯電話機１の相対移動状態に応じて、接点の位置を変更することにより基準電位パターン層８６及びシールド層２４０のアンテナ特性の低下を抑制することができる。
【００７９】
具体的には、携帯電話機１を開状態から閉状態へ遷移させた場合、回路基板７０と回路基板８０とは、互いの距離が近接する。また、操作部側筐体２及び表示部側筐体３は、一般的に所定の誘電率を有する樹脂を用いて形成される。
【００８０】
そして、例えば図９に示すスイッチ部１１０を接点１０４ｂから切り替えずに、携帯電話機１を開状態から閉状態へ遷移させた場合、回路基板７０及び回路基板８０が所定の誘電率を有する操作部側筐体２及び表示部側筐体３に近接するため、閉状態におけるアンテナとして動作する基準電位パターン層８６及びシールド層２４０の共振周波数が開状態の場合よりも低くなる。
【００８１】
この場合、制御部１１５は、スイッチ部１１０を制御して、接点１０４ａを選択する。これにより、基準電位パターン層８６の長さＬ１とシールド層２４０の長さＬ１５の合計値（Ｌ１＋Ｌ１５）が基準電位パターン層８６の長さＬ１とシールド層２４０の長さＬ１６の合計値（Ｌ１＋Ｌ１６）よりも短くなるため、基準電位パターン層８６及びシールド層２４０の共振周波数を高い値に調整することで、アンテナ特性を維持することができる。
【００８２】
同様にして、携帯電話機１を閉状態から開状態へ遷移させた場合、回路基板７０及び回路基板８０が所定の誘電率を有する操作部側筐体２及び表示部側筐体３から離間するため、開状態におけるアンテナとして動作する基準電位パターン層８６及びシールド層２４０の共振周波数が閉状態の場合よりも低くなる。
【００８３】
この場合、制御部１１５は、スイッチ部１１０を制御して、接点１０４ｃを選択する。これにより、基準電位パターン層８６の長さＬ１とシールド層２４０の長さＬ１７の合計値（Ｌ１＋Ｌ１７）が基準電位パターン層８６の長さＬ１とシールド層２４０の長さＬ１６の合計値（Ｌ１＋Ｌ１６）よりも長くなるため、基準電位パターン層８６及びシールド層２４０の共振周波数を低い値に調整することで、アンテナ特性を維持することができる。
【００８４】
更に、携帯電話機１を開状態と閉状態との中間に遷移させた場合、アンテナ素子として機能する基準電位パターン層８６及びシールド層２４０の共振周波数は、開状態の場合よりも低くなり、且つ閉状態の場合よりも高くなる。
【００８５】
そこで、制御部１１５は、スイッチ部１１０を制御して、接点１０４ｂを選択する。これにより、基準電位パターン層８６の長さＬ１とＦＰＣ部１０１の長さＬ１６の合計値（Ｌ１＋Ｌ１６）が基準電位パターン層８６の長さＬ１とシールド層２４０の長さＬ１５の合計値（Ｌ１＋Ｌ１５）よりも長くなり、且つ基準電位パターン層８６の長さＬ１とシールド層２４０の長さＬ１７の合計値（Ｌ１＋Ｌ１７）よりも短くなる。したがって、基準電位パターン層８６及びシールド層２４０の共振周波数を開状態よりも高く、且つ閉状態よりも低い値に調整することで、アンテナ特性を維持することができる。
【００８６】
また、制御部１１５は、チューナ部１１２及びデコーダ部１１３により共振される信号である放送波の周波数に応じて、スイッチ部１１０により第１の状態と第２の状態と第３の状態との選択を制御するように構成されていてもよい。
【００８７】
このように構成されることにより、基準電位パターン層８６により共振され、チューナ部１１２及びデコーダ部１１３による動作の基礎となる信号に係るアンテナ特性を維持することができる。
【００８８】
具体的には、ダイポールアンテナとして機能する基準電位パターン層７５、ＦＰＣ部１０１、及び基準電位パターン層８６は、例えば地上波デジタル放送用のアンテナとして適用することが可能である。ここで、上述したスイッチ部１１０による接点１０４ａ、１０４ｂ、１０４ｃの切り替えを地上波デジタル放送に適用した場合の例を説明する。
【００８９】
地上波デジタル放送は、ＵＨＦ帯域を用いており、受信周波数が４７３ＭＨｚ〜７３７ＭＨｚと非常に広い帯域である。このため、地上デジタル放送用のアンテナも広い帯域の特性が要求される。
【００９０】
そこで、例えば、４７３ＭＨｚ〜７３７ＭＨｚの受信周波数を３つの周波数帯域に分割する。そして、周波数の低い帯域をＵＨＦ＿Ｌ、中間の周波数の帯域をＵＨＦ＿Ｍ、周波数の高い帯域をＵＨＦ＿Ｈとする。
【００９１】
そして、制御部１１５は、周波数の低い帯域であるＵＨＦ＿Ｌのチャンネルが、例えば操作キー群１１の操作に応じて選択された場合、スイッチ部１１０部を制御して、接点１０４ｃを選択する。これにより、図１０に示すように基準電位パターン層８６の長さＬ１とシールド層２４０の長さＬ１７の合計値（Ｌ１＋Ｌ１７）が基準電位パターン層８６の長さＬ１とシールド層２４０の長さＬ１６の合計値（Ｌ１＋Ｌ１６）よりも長くなるため、基準電位パターン層８６及びシールド層２４０の共振周波数を低い値に調整することで、ＵＨＦ＿Ｌにおいて好適なアンテナ特性を得ることができる。
【００９２】
同様にして、制御部１１５は、周波数の高い帯域であるＵＨＦ＿Ｈのチャンネルが選択された場合、スイッチ部１１０を制御して、接点１０４ａを選択する。これにより、基準電位パターン層８６の長さＬ１とシールド層２４０の長さＬ１５の合計値（Ｌ１＋Ｌ１５）が基準電位パターン層８６の長さＬ１とシールド層２４０の長さＬ１６の合計値（Ｌ１＋Ｌ１６）よりも短くなるため、基準電位パターン層８６及びシールド層２４０の共振周波数を高い値に調整することで、ＵＨＦ＿Ｈにおいて好適なアンテナ特性を得ることができる。
【００９３】
同様にして、制御部１１５は、中間の周波数帯域であるＵＨＦ＿Ｍのチャンネルが選択された場合、スイッチ部１１０を制御して、接点１０４ｂを選択する。これにより、基準電位パターン層８６の長さＬ１とシールド層２４０の長さＬ１６の合計値（Ｌ１＋Ｌ１６）が基準電位パターン層８６の長さＬ１とシールド層２４０の長さＬ１５の合計値（Ｌ１＋Ｌ１５）よりも長くなり、且つ基準電位パターン層８６の長さＬ１とシールド層２４０の長さＬ１７の合計値（Ｌ１＋Ｌ１７）よりも短くなる。したがって、基準電位パターン層８６及びシールド層２４０の共振周波数を調整することで、ＵＨＦ＿Ｍにおいて好適なアンテナ特性を得ることができる。
【００９４】
このようにして、地上波デジタル放送において、受信する周波数帯域に応じてスイッチ部を切り替えることにより、好適なアンテナ特性を得ることができる。
【００９５】
＜第３実施形態＞
図１３は、本発明に係る第３実施形態の携帯電話機１の開状態における内部構造を示す模式図である。図１３に示すように、第３実施形態の携帯電話機１において、ＦＰＣ部１２５は、直線形状ではなく、回路基板７０側でＬ字に折れ曲がり、更にＬ字に折れ曲がった形状で形成され、ＦＰＣコネクタ１０２と接続している。これにより、ＦＰＣ部１２５の長さ、すなわちシールド層２４０の長さを変更することができるため、アンテナ素子として機能する基準電位パターン層８６及びシールド層２４０の共振周波数を調整することが可能となる。
【００９６】
＜第４実施形態＞
図１４は、本発明に係る第４実施形態の携帯電話機１の開状態における内部構造を示す模式図である。図１４に示すように、第４実施形態の携帯電話機１において、ＦＰＣ部１０１に替えて細線同軸ケーブル１３０により形成される。そして、細線同軸ケーブル１３０は、コネクタ１３１により回路基板８０と電気的に接続される。また、細線同軸ケーブル１３０は、コネクタ１３２により回路基板７０と電気的に接続される。更に、細線同軸ケーブル１３０は、接点１３３を介してＲＦ回路部１０６の給電部から給電される又は給電部に給電する。このように、ＦＰＣ部１０１に替えて細線同軸ケーブル１３０を用いても上述した実施形態と同様の効果を奏することができる。
【００９７】
以上、本発明の一実施形態について説明したが、本発明は前述した実施形態に制限されるものではなく、適宜変更が可能である。例えば、上述した実施形態では、回路基板７０にグランドパターンが設けられ、第１の導電部としての基準電位パターン層７５がＲＦ回路部１０６のグランド部に電気的に接続されるとしたが、これに限らず、基準電位パターン層７５の電位とＲＦ回路部１０６との電位が同電位であれば、基準電位パターン層７５、ＦＰＣ部１０１（シールド層２４０）、及び基準電位パターン層８６は、ダイポールアンテナとして機能することが可能である。
【００９８】
また、上述した実施形態では、第１の導電部は、回路基板７０に形成された基準電位パターン層７５であったが、本発明はこれに限らない。例えば、第１の導電部は、回路基板７０上に形成されるシールドケースや操作部側筐体２の外面の一部を形成し、着脱可能な導電性のケース部材で構成されていてもよい。
【００９９】
また、上述した実施形態では、第２の導電部は、回路基板８０に形成された基準電位パターン層８６であったが、本発明はこれに限らない。例えば、第２の導電部は、回路基板８０上に形成されるシールドケースや表示部側筐体３の外面の一部を形成し、着脱可能な導電性のケース部材で構成されていてもよい。
【０１００】
また、上述した実施形態では、ＦＰＣ部１０１に接点を３つ設けて、この接点をスイッチ部１１０により切り替えたが、接点の数は、これに限らず、所望の周波数に応じた個数の接点を配置し、配置した接点をスイッチ部１１０により切り替えてもよい。
【０１０１】
＜第５実施形態＞
次に、本発明に係る第５実施形態の携帯電話機１について図７及び図１５を参照しながら説明する。以下、第５実施形態における携帯電話機１について第１実施形態とは異なる点を中心に説明し、第１実施形態と同様の構成及び動作については説明を省略又は簡略化する。第５実施形態の携帯電話機１は、ＦＰＣ部１０１のシールド層２４０の表面側であるシールド層２４０ａ、及び裏面側であるシールド層２４０ｂをそれぞれ別のアンテナ素子として動作させる点が第１実施形態とは主として異なる。
【０１０２】
上述した図７に示すように、ＦＰＣ部１０１におけるシールド層２４０は、表面側のシールド層２４０（第１のシールド層）と、裏面側のシールド層２４０（第２のシールド層）とから構成される。なお、以下の実施形態では、説明の便宜上、表面側のシールド層２４０をシールド層２４０ａといい、裏面側のシールド層２４０をシールド層２４０ｂという。
【０１０３】
ＦＰＣ部１０１は、信号配線２１０を、シールド層２４０ａと、シールド層２４０ｂとで挟持されることにより構成される。詳細には、ＦＰＣ部１０１は、信号配線２１０を、絶縁層２２０及び導電性接着剤層２３０を介して、シールド層２４０ａと、シールド層２４０ｂとで挟持されることにより構成される。
【０１０４】
図１５は、第５実施形態の携帯電話機１の開状態における内部構造を示す模式図である。図１５に示すように、回路基板７０は、ＦＰＣコネクタ１０２と、信号線１０５ｄと、信号線１０５ｅと、ＲＦ回路部１０６（信号処理部）と、切替部１２０（第２の選択部）と、制御部１２１（第２の制御部）と、を備える。なお、ＦＰＣコネクタ１０２については、第１実施形態と同様の構成であるため、説明を省略する。
【０１０５】
ＦＰＣ部１０１には、給電部としての接点１０４ｄ及び１０４ｅが形成されている。接点１０４ｄは、シールド層２４０ａ上に形成され、信号線１０５ｄと電気的に接続される。接点１０４ｅは、シールド層２４０ｂ上に形成され、信号線１０５ｅと電気的に接続される。すなわち、接点１０４ｄ及び接点１０４ｅは、それぞれ信号線１０５ｄ及び信号線１０５ｅを介して切替部１２０と電気的に接続される。
【０１０６】
シールド層２４０ａおよびシールド層２４０ｂは、操作部側筐体２において接点１０４ｄに電気的に接続され、表示部側筐体３において基準電位パターン層８６に電気的に接続される。
【０１０７】
切替部１２０は、例えば、スイッチ等で構成され、制御部１２１の制御に従って、シールド層２４０ａとシールド層２４０ｂとを電気的に切り替える。
【０１０８】
具体的には、切替部１２０は、シールド層２４０ａが操作部側筐体２において接点１０４ｄに電気的に接続され、表示部側筐体３において基準電位パターン層８６に電気的に接続される第１の状態と、シールド層２４０ｂが操作部側筐体２において接点１０４ｄに電気的に接続され、表示部側筐体３において基準電位パターン層８６に電気的に接続される第２の状態のいずれか一方を選択可能に構成される。
【０１０９】
そして、切替部１２０で切り替えられことによりシールド層２４０ａとシールド層２４０ｂとのいずれか一方は、アンテナ素子の一部として機能する。
【０１１０】
制御部１２１は、信号線１０５、ＲＦ回路部１０６、及び切替部１２０と電気的に接続され、これらの信号線１０５、ＲＦ回路部１０６、及び切替部１２０を制御する。
【０１１１】
ＲＦ回路部１０６は、切替部１２０で切り替えることによりシールド層２４０ａ、又はシールド層２４０ｂのいずれか一方をアンテナ素子の一部として用いて、受信された信号の処理を行う。
【０１１２】
次に、第５実施形態に係るシールド層２４０がアンテナとして機能する際の動作例について説明する。
【０１１３】
例えば、携帯電話機１の開状態における通話時には、制御部１２１は、切替部１２０を切り替えて接点１０４ｅを選択する。この場合、基準電位パターン層７５は、アンテナ素子におけるグランド側として動作する。また、シールド層２４０ｂは、アンテナ素子における放射素子の一部として動作する。さらに、基準電位パターン層８６は、アンテナ素子における放射素子として動作する。このように、基準電位パターン層７５、シールド層２４０ｂ及び基準電位パターン層８６は、アンテナ素子（例えば、モノポールアンテナ、ダイポールアンテナ等）として動作する。
【０１１４】
一方、例えば、携帯電話機１の開状態におけるデータ通信時や操作キー群１１の操作時には、制御部１２１は、切替部１２０を切り替えて接点１０４ｄを選択する。この場合、基準電位パターン層７５は、アンテナ素子におけるグランド側の放射素子として動作する。また、シールド層２４０ａは、アンテナ素子における放射素子の一部として動作する。さらに、基準電位パターン層８６は、アンテナ素子における放射素子として動作する。このように、基準電位パターン層７５、シールド層２４０ａ及び基準電位パターン層８６は、アンテナ素子（例えば、モノポールアンテナ、ダイポールアンテナ等）として動作する。
【０１１５】
携帯電話機１の閉状態では、開状態よりもアンテナ素子における放射素子として動作する際の放射効率が低下する可能性がある。しかし、第５実施形態の携帯電話機１によれば、信号配線２１０は、表面側のシールド層２４０ａと、裏面側のシールド層２４０ｂとで挟持されることにより構成される。また、シールド層２４０ａは、操作部側筐体２において接点１０４ｄに電気的に接続され、シールド層２４０ｂは、操作部側筐体２において接点１０４ｅに電気的に接続される。また、シールド層２４０ａおよびシールド層２４０ｂは、表示部側筐体３において基準電位パターン層８６に電気的に接続される。したがって、シールド層２４０ａ及びシールド層２４０ｂの両面において給電を行うことができ、閉状態であっても放射効率の低下を抑制できる。
【０１１６】
また、第５実施形態の携帯電話機１によれば、例えば、通話時には、使用者の顔が携帯電話機１のフロントケース２ａ及びフロントパネル３ａ側に近接する。この際、切替部１２０が切り替えられることにより、シールド層２４０ｂは、アンテナ素子の一部として動作し、シールド層２４０ａは、信号配線２１０からのノイズ等をシールドする。
【０１１７】
一方で、例えば、データ通信時や操作キー群１１の操作時には、使用者の顔が携帯電話機１のフロントケース２ａ及びフロントパネル３ａ側から離間する。この際、切替部１２０が切り替えられることにより、シールド層２４０ａは、アンテナ素子の一部として動作し、シールド層２４０ｂは、信号配線２１０からのノイズ等をシールドする。
【０１１８】
したがって、通話時などの使用者の顔が携帯電話機１のフロントケース２ａ及びフロントパネル３ａ側に近接する場合には、使用者の人体に対する電波やノイズ等の放射を抑制することができ、ＳＡＲ（Ｓｐｅｃｉｆｉｃ  Ａｂｓｏｒｐｔｉｏｎ  Ｒａｔｅ：比吸収率）の低減を図ることができる。
【０１１９】
また、ＲＦ回路部１０６は、シールド層２４０ａにおいて受信される信号と、シールド層２４０ｂにおいて受信される信号とに基づいて、所定の信号処理を行うように構成されていてもよい。具体的には、制御部１２１は、シールド層２４０ａにおいて受信される信号の強度と、シールド層２４０ｂにおいて受信される信号の強度とを比較し、比較した結果、信号の強度が高い（大きい）側を選択するように切替部１２０を切り替えるように制御する。そして、ＲＦ回路部１０６は、切替部１２０で切り替えられたシールド層２４０ａ又はシールド層２４０ｂのいずれか一方で受信される信号の処理を行うように構成されていてもよい。
【０１２０】
なお、第５実施形態では、ＦＰＣ部１０１の構成例として図７に示すＦＰＣ部１０１について説明したが、ＦＰＣ部１０１は、例えば、図８に示すように構成されていてもよい。
【０１２１】
＜第６実施形態＞
次に、本発明に係る第６実施形態の携帯電話機１について図１６から図１８を参照しながら説明する。以下、第６実施形態における携帯電話機１について第１実施形態とは異なる点を中心に説明し、第１及び第５実施形態と同様の構成及び動作については説明を省略又は簡略化する。第６実施形態の携帯電話機１は、ＦＰＣ１０１部のシールド層２４０ａ及び２４０ｂにおいて、複数の異なる周波数に対応可能に構成される点が主として異なる。
【０１２２】
図１６は、第６実施形態に係るＦＰＣ１０１部の構成例を示す模式図である。図１６（Ａ）は、ＦＰＣ１０１部の表面側の構成を示す図であり、図１６（Ｂ）は、ＦＰＣ１０１部の裏面側の構成を示す図である。
【０１２３】
図１６（Ａ）に示すように、ＦＰＣ１０１部の表面側におけるシールド層２４０ａには、複数のスリット（溝）２４１ａが形成されている。シールド層２４０ａは、スリット２４１ａが形成されることにより、第１の周波数帯に共振するメアンダ形状（第１の形状）で構成される（図１６（Ａ）の斜線で示した部分）。また、シールド層２４０ａ上には、給電部としての接点１０４ｄが形成される。
【０１２４】
一方、図１６（Ｂ）に示すように、ＦＰＣ１０１部の裏面側におけるシールド層２４０ｂには、スリットが形成されず、シールド層２４０ｂは、第１の周波数帯とは異なる第２の周波数帯に共振する略矩形状（第２の形状）で構成される（図１６（Ｂ）の斜線で示した部分）。また、シールド層２４０ｂ上には、給電部としての接点１０４ｅが形成される。
【０１２５】
接点１０４ｄと接点１０４ｅとは、信号線１０５ｄと信号線１０５ｅとにそれぞれ電気的に接続される。信号線１０５ｄ及び１０５ｅは、切替部１２０に電気的に接続される。
【０１２６】
そして、切替部１２０は、第５実施形態と同様にシールド層２４０ａが操作部側筐体２において接点１０４ｄに電気的に接続され、表示部側筐体３において基準電位パターン層８６に電気的に接続される第１の状態と、シールド層２４０ｂが操作部側筐体２において接点１０４ｅに電気的に接続され、表示部側筐体３において基準電位パターン層８６に電気的に接続される第２の状態のいずれか一方を選択可能に構成される。
【０１２７】
このように、シールド層２４０ａは、メアンダ形状で形成され、シールド層２４０ｂは、略矩形状で形成される。このため、シールド層２４０ａは、シールド層２４０ｂよりも高周波的な長さが長くなる。したがって、シールド層２４０ａは、第１の周波数帯に共振し、シールド層２４０ｂは、第２の周波数帯に共振することができ、シールド層２４０ａ及びシールド層２４０ｂを複数の異なる周波数帯に対応できるマルチバンドアンテナの一部として機能させることができる。
【０１２８】
図１７は、第６実施形態に係るＦＰＣ１０１部の他の構成例を示す模式図である。図１７（Ａ）は、ＦＰＣ１０１部の表面側の構成を示す図であり、図１７（Ｂ）は、ＦＰＣ１０１部の裏面側の構成を示す図である。
【０１２９】
図１７（Ａ）に示すＦＰＣ１０１部の表面側の構成は、上述した図１６（Ａ）のＦＰＣ部１０１の表面側の構成と同様であり、シールド層２４０ａは、第１の周波数帯に共振するメアンダ形状（第１の形状）で構成される（図１７（Ａ）の斜線で示した部分）。また、シールド層２４０ａ上には、接点１０４ｄが形成される。
【０１３０】
一方、図１７（Ｂ）に示すように、ＦＰＣ部１０１の裏面側におけるシールド層２４０ｂには、スリット２４１ｂと、スリット２４１ｃとが形成されている（図１７（Ｂ）の斜線で示した部分）。具体的には、スリット２４１ｂは、ＦＰＣ部１０１の長手方向に沿って一定の幅で形成されている。
【０１３１】
スリット２４１ｂは、シールド層２４０ｂを左右に分割し、シールド層２４０ｂには、シールド領域Ａとシールド領域Ｂとが形成される。スリット２４１ｃは、スリット２４１ｂにより左右に分割されたシールド領域Ｂに複数個形成される。
【０１３２】
シールド領域Ａは、スリット２４１ｂにより直線形状となっている。一方、シールド領域Ｂの形状は、スリット２４１ｂ及びスリット２４１ｃにより、シールド層２４０ａとは電気的な長さの異なるメアンダ形状となっている。このように、シールド層２４０ｂは、第２の周波数帯に共振する直線形状、及び第３の周波数帯に共振するメアンダ形状を有する形状（第２の形状）で構成される。
【０１３３】
また、シールド領域Ａ上には、給電部としての接点１０４ｆが形成され、シールド領域Ｂ上には、給電部としての接点１０４ｇが形成される。
【０１３４】
このように、シールド層２４０ａは、第１の周波数帯に共振するメアンダ形状（第１の形状）で構成される。また、シールド層２４０ｂは、第２の周波数帯に共振する直線形状で構成されるシールド領域Ａ及び第３の周波数帯に共振するメアンダ形状で構成されるシールド領域Ｂとを有する。このため、シールド層２４０ａ、シールド領域Ａ及びシールド領域Ｂそれぞれの高周波的な長さが異なる。したがって、シールド層２４０ａ及びシールド層２４０ｂを３つの異なる周波数帯に対応できるマルチバンドアンテナの一部として機能させることができる。
【０１３５】
図１８は、第６実施形態に係るＦＰＣ部１０１の他の構成例を示す模式図である。図１８（Ａ）は、ＦＰＣ部１０１の表面側の構成を示す図であり、図１８（Ｂ）は、ＦＰＣ部１０１の裏面側の構成を示す図である。
【０１３６】
図１８（Ａ）に示すように、ＦＰＣ部１０１の表面側には、シールド層２４０ａが形成される。シールド層２４０ａには、スリット２４１ｄと、スリット２４１ｅとが形成されている。
【０１３７】
具体的には、スリット２４１ｄは、ＦＰＣ部１０１の長手方向に沿って一定の幅で形成されている。また、スリット２４１ｅは、それぞれが略矩形状であり、シールド領域Ｃに所定の間隔で多数形成される。
【０１３８】
スリット２４１ｄは、シールド層２４０ａを左右に分割し、シールド層２４０ａには、シールド領域Ｃとシールド領域Ｄとが形成される。
【０１３９】
シールド領域Ｃは、スリット２４１ｄ及び２４１ｅにより格子形状となっている。また、シールド領域Ｄは、スリット２４１ｄにより直線形状となっている。このように、シールド層２４０ａは、第１の周波数帯に共振する格子形状で構成されるシールド領域Ｃと、第１の周波数帯とは異なる第２の周波数帯に共振する直線形状で構成されるシールド領域Ｄとを有する。
【０１４０】
一方、図１８（Ｂ）は、上述した図１６（Ｂ）と同様の構成であり、ＦＰＣ部１０１の裏面側には、シールド層２４０ｂが形成されている。また、シールド層２４０ｂ上には、接点１０４ｅが形成される。
【０１４１】
シールド層２４０ｂには、スリットは形成されず、シールド層２４０ｂは、直線形状を有する。シールド層２４０ｂは、第１及び第２の周波数帯とは異なる第３の周波数帯に共振する直線形状で構成される。
【０１４２】
また、シールド領域Ｃ上には、給電部としての接点１０４ｈが形成され、シールド領域Ｄ上には、給電部としての接点１０４ｉが形成される。
【０１４３】
このように、シールド層２４０ａは、第１の周波数帯に共振する格子形状で構成されるシールド領域Ｃ、及び第２の周波数帯に共振する直線形状で構成されるシールド領域Ｄを有する。また、シールド層２４０ｂは、第３の周波数帯に共振する直線形状で構成される。このため、シールド領域Ｃ、シールド領域Ｄ及びシールド層２４０ｂそれぞれの高周波的な長さが異なる。したがって、シールド領域Ｃ、シールド領域Ｄ及びシールド層２４０ｂを３つの異なる周波数帯に対応できるマルチバンドアンテナの一部として機能させることができる。
【０１４４】
なお、上述した図１７及び図１８の構成例では、図１６の構成例と同様に、それぞれの接点が信号線を介して切替部１２０と電気的に接続され、切替部１２０での切り替えによりそれぞれの接点を選択可能に構成してもよい。
【０１４５】
＜第７実施形態＞
次に、本発明に係る第７実施形態の携帯電話機１について図１９を参照しながら説明する。図１９は、第７実施形態の携帯電話機１に係るＦＰＣ１０１の内部構造を示す断面図である。
【０１４６】
図１９に示すように、ＦＰＣ１０１は、基材２００と、信号配線２１０と、絶縁層２２０と、導電性接着剤層２３０と、シールド層２４０と、スリット２４１と、接点１０４ｊと、接点１０４ｋと、を備える。第７実施形態に係るＦＰＣ部１０１は、スリット２４１、接点１０４ｊ、及び接点１０４ｋを備える点、及び信号配線２１０の構成が異なる点が第１実施形態に係るＦＰＣ１０１（図７参照）とは主として異なる。
【０１４７】
信号配線２１０は、信号伝送線２１１と、グランド線２１２と、を備える。信号伝送線２１１は、信号配線２１０のＦＰＣ部１０１における幅方向の内側に複数配設され、信号を伝送する。グランド線２１２は、基準電位（例えば、基準電位パターン層７５、基準電位パターン層８６）と電気的に接続し、信号配線２１０のＦＰＣ部１０１における幅方向の外側に配設される。
【０１４８】
ここで、信号伝送線２１１がＦＰＣ部１０１における幅方向の内側に配設され、グランド線２１２が信ＦＰＣ部１０１における幅方向の外側に配設されている目的は、外部からのノイズから信号伝送線２１１を保護するためや、信号伝送線２１１から放射されるノイズをＦＰＣ部１０１の外部に放射させないため等である。
【０１４９】
接点１０４ｊ及び１０４ｋは、シールド層２４０上の信号伝送線２１１とＦＰＣ部１０１の幅方向において対向する位置に形成される。
【０１５０】
シールド層２４０は、操作部側筐体２においてグランド線２１２の近傍で接点１０４ｊ及び接点１０４ｋに電気的に接続される。
【０１５１】
また、シールド層２４０には、信号伝送線２１１とグランド線２１２との間の部位に対応して所定深さのスリット（溝）２４１が形成される。スリット２４１は、上述した図１８（Ａ）のスリット２４１ｄと同様に、ＦＰＣ部１０１の長手方向に沿って一定の幅で形成されている。
【０１５２】
第７実施形態の携帯電話機１によれば、シールド層２４０は、操作部側筐体２においてグランド線２１２の近傍で接点１０４ｊ及び接点１０４ｋに電気的に接続される。このため、給電部としての接点１０４ｊ及び接点１０４ｋをグランド線２１２の近傍に配置することにより、接点１０４ｊ及び接点１０４ｋとグランド線２１２との距離は、接点１０４ｊ及び接点１０４ｋとグランド線２１２との距離よりも離れることとなる。したがって、接点１０４ｊ及び接点１０４ｋは、信号伝送線２１１からの高周波的なノイズの影響を受けにくくなる。
【０１５３】
また、第７実施形態の携帯電話機１によれば、シールド層２４０には、信号伝送線２１１とグランド線２１２との間の部位に対応して所定深さのスリット２４１が形成される。このため、給電部として２箇所の接点１０４ｊ及び接点１０４ｋを設けることができ、接点１０４ｊ及び接点１０４ｋが信号伝送線２１１からの高周波的なノイズの影響を受けにくい状態で給電を行うことができる。
【０１５４】
＜第８実施形態＞
次に、本発明に係る第８実施形態の携帯電話機１について図２０を参照しながら説明する。図２０は、第８実施形態の携帯電話機１に係るＦＰＣ１０１の内部構造を示す断面図である。なお、第８実施形態では、第７実施形態と異なる点を中心に説明し、第７実施形態と同様の構成については説明を省略する。
【０１５５】
図２０に示すように、ＦＰＣ１０１は、基材２００と、信号配線２１０と、絶縁層２２０と、導電性接着剤層２３０と、シールド層２４０と、スリット２４１と、接点１０４ｌと、接点１０４ｍと、を備える。第８実施形態に係るＦＰＣ１０１は、信号配線２１０の構成が第７実施形態に係るＦＰＣ１０１（図１９参照）とは主として異なる。
【０１５６】
信号配線２１０は、第１の信号伝送線２１３と、第２の信号伝送線２１４と、を備える。
【０１５７】
第１の信号伝送線２１３は、信号配線２１０に配設され、第１の伝送速度で信号を伝送する。第２の信号伝送線２１４は、信号配線２１０に配設され、第１の伝送速度よりも速い伝送速度である第２の伝送速度で信号を伝送する。
接点１０４ｌ及び接点１０４ｍは、シールド層２４０上の信号伝送線２１１とＦＰＣ部１０１の幅方向において対向する位置に形成される。
【０１５８】
シールド層２４０は、操作部側筐体２において第２の信号伝送線２１４よりも第１の信号伝送線２１３の近傍で接点１０４ｌ及び接点１０５ｍに電気的に接続される。
【０１５９】
シールド層２４０には、第１の信号伝送線２１３と第２の信号伝送線２１４との間の部位に対応して所定深さのスリット（溝）２４２が形成される。スリット２４２は、上述した第７実施形態のスリット２４１と同様に、ＦＰＣ部１０１の長手方向に沿って一定の幅で形成されている。
【０１６０】
第８実施形態によれば、シールド層２４０は、操作部側筐体２において第１の信号伝送線２１３の近傍で接点１０４ｌ及び接点１０５ｍに電気的に接続される。このため、給電部としての接点１０４ｌ及び接点１０５ｍを第１の信号伝送線２１３の近傍に配置することにより、接点１０４ｌ及び接点１０５ｍと第２の信号伝送線２１４との距離は、接点１０４ｌ及び接点１０５ｍと第１の信号伝送線２１３との距離よりも離れることとなる。したがって、接点１０４ｌ及び接点１０５ｍは、第２の信号伝送線２１４からの高周波的なノイズの影響を受けにくくなる。
【０１６１】
また、第８実施形態によれば、シールド層２４０には、第１の信号伝送線２１３と第２の信号伝送線２１４との間の部位に対応して所定深さのスリット２４２が形成される。このため、給電部として２箇所の接点１０４ｌ及び接点１０５ｍを設けることができ、接点１０４ｌ及び接点１０５ｍが第２の信号伝送線２１４からの高周波的なノイズの影響を受けにくい状態で給電を行うことができる。
【符号の説明】
【０１６２】
１  携帯電話機（通信機器）
２  操作部側筐体（第１の筐体）
３  表示部側筐体（第２の筐体）
７０  回路基板（第１の回路基板）
７５  基準電位パターン層（第１の導電部）
８０  回路基板（第２の回路基板）
８６  基準電位パターン層（第２の導電部）
１０１  ＦＰＣ（信号線）
１０４  接点（給電部）
１０６  ＲＦ回路部（回路部）
２１０  信号配線（信号伝送部）
２４０  シールド層（シールド部）
【図１】
2010154492.tif 000003
【図２】
2010154492.tif 000004
【図３】
2010154492.tif 000005
【図４】
2010154492.tif 000006
【図５】
2010154492.tif 000007
【図６】
2010154492.tif 000008
【図７】
2010154492.tif 000009
【図８】
2010154492.tif 000010
【図９】
2010154492.tif 000011
【図１０】
2010154492.tif 000012
【図１１】
2010154492.tif 000013
【図１２】
2010154492.tif 000014
【図１３】
2010154492.tif 000015
【図１４】
2010154492.tif 000016
【図１５】
2010154492.tif 000017
【図１６】
2010154492.tif 000018
【図１７】
2010154492.tif 000019
【図１８】
2010154492.tif 000020
【図１９】
2010154492.tif 000021
【図２０】
2010154492.tif 000022